(57)【要約】【課題】透光型補水台により液体を供給し、霧化させる液体が水受槽の中に常にあるようにするとともに、発振器が詰まることを防ぐ霧化器の補水構造を提供する。【解決手段】霧化器の補水構造は、ベース１の中には、着脱自在の導水装置に対応した発振器１１が設けられ、導水装置１２は、水受槽１３から液体が供給され、発振器１１の発振により液体を霧化させ、槽孔１３１に導管２１を貫設させ、導管２１には、内側端面に導流孔２１１が周設され、中央部分に組立槽孔２１２が設けられ、端部に突当ブロック２２１を有する可動ロッド２２が配置され、可動ロッド２２の端部には防水ワッシャ２４が外嵌され、水受槽１３の槽孔１３１に設けられたバンプ１３２により、導管２１の中の可動ロッド２２を伸縮変位させると、導流孔２１１が防水ワッシャ２４により開閉され、液体の供給状態を調整する。【選択図】図３
0003155702.tif 000002
【実用新案登録請求の範囲】
【請求項１】
ベースの中には、水受槽と、着脱自在の導水装置に対応した発振器とが設けられ、
前記導水装置は、前記水受槽から液体が供給され、前記発振器の発振により液体を霧化させ、
前記ベースの前記水受槽上に設けられた槽孔に、透光型補水台に設けられた導管を貫設させ、
前記導管には、内側端面に導流孔が周設され、中央部分に組立槽孔が設けられ、端部に突当ブロックを有する可動ロッドが配置され、
前記可動ロッドの前記突当ブロックと前記組立槽孔との間には弾性部材が外嵌され、前記可動ロッドの端部には防水ワッシャが外嵌され、
前記水受槽の前記槽孔に設けられたバンプにより、前記導管の中の前記可動ロッドを伸縮変位させると、導流孔が防水ワッシャにより開閉され、液体の供給状態を調整することを特徴とする霧化器の補水構造。
【請求項２】
前記ベース上に嵌入される前記透光型補水台は、発光源が設けられる収納槽を有することを特徴とする請求項１に記載の霧化器の補水構造。
【請求項３】
前記透光型補水台の底部には、閉塞部材を用いて封止することが可能な、液体供給用の給水口が設けられることを特徴とする請求項１に記載の霧化器の補水構造。
【考案の詳細な説明】
【技術分野】
【０００１】
本考案は、霧化器の補水構造に関し、特に、液体が無くなる前に補充を行い、振動霧化の補水構造へ十分な液体を供給し、透光性の補水台を利用し、霧化器の中へ液体を適時補充することにより、発振器が詰まることを防ぐ霧化器の補水構造に関する。
【背景技術】
【０００２】
市販されている霧化装置（ａｔｏｍｉｚｅｒ）は、その内側底部に液体を貯蔵するために用いる容器が設けられ、その容器の中には長尺状の綿が配置され、霧化装置の頂端に超音波発振器が配置されている。この綿は、一方の端部が液体の中に位置し、他方の端部が超音波発振器に密着されている。毛細管作用により液体を綿に吸収させると、液体を超音波発振器に対応した端部にまで運ぶことができる。超音波発振器の作動により、綿に吸収された液体に超音波発振を作用させると、液体分子が細かくなり霧化効果を得ることができる。
【０００３】
ただし、一般に霧化装置の中の液体として使用されるのは純粋な水ではなく、香料などが添加された液体である上、綿に十分な液体を供給し続け、超音波発振器により霧化効果を得るための霧化装置の水受容器が内部に配置されているため、一般に液体の残量を知ることが困難であった。そのため、長時間の使用により容器内の液体が無くなったことをユーザが知らずに超音波発振器を使用し続け、消費電力が無駄となる虞があった。さらに、香料などの液体が超音波発振器に詰まり、霧化装置の使用寿命が短くなる虞もあった。
【考案の概要】
【考案が解決しようとする課題】
【０００４】
本考案の第１の目的は、ユーザが霧化器の中の液体を使い切る前に、透光型補水台により液体を供給し、霧化させる液体が水受槽の中から無くならないようにするとともに、発振器が詰まることを防ぐ霧化器の補水構造を提供することにある。
本考案の第２の目的は、液体の残量が分かるように補水台が透光型に設計されているため、液体を適時補充することができ、霧化器の使用時間を延ばすことができるとともに、発振器および導水装置の使用寿命を延ばすことができる霧化器の補水構造を提供することにある。
本考案の第３の目的は、ベース上に嵌入する透光型補水台の収納槽に設けられた発光源を発光させることにより、見た目を向上させることができる霧化器の補水構造を提供することにある。
【課題を解決するための手段】
【０００５】
上記課題を解決するために、本考案の第１の形態によれば、ベースの中には、着脱自在の導水装置に対応した発振器が設けられ、前記導水装置は、水受槽から液体が供給され、前記発振器の発振により液体を霧化させ、前記ベースの前記水受槽上に設けられた槽孔に、透光型補水台に設けられた導管を貫設させ、前記導管には、内側端面に導流孔が周設され、中央部分に組立槽孔が設けられ、端部に突当ブロックを有する可動ロッドが配置され、前記可動ロッドの前記突当ブロックと前記組立槽孔との間には弾性部材が外嵌され、前記可動ロッドの端部には防水ワッシャが外嵌され、前記水受槽の前記槽孔に設けられたバンプにより、前記導管の中の前記可動ロッドを伸縮変位させると、導流孔が防水ワッシャにより開閉され、液体の供給状態を調整することを特徴とする霧化器の補水構造が提供される。
【０００６】
また、前記ベース上に嵌入される前記透光型補水台は、発光源が設けられる収納槽を有することが好ましい。
【０００７】
また、前記透光型補水台の底部には、閉塞部材を用いて封止することが可能で、液体供給用の給水口が設けられることが好ましい。
【考案の効果】
【０００８】
本考案の霧化器の補水構造は、以下（１）〜（３）の長所を有する。
（１）霧化器の中の液体が無くなる前に、透光型補水台により液体を供給し、発振器により霧化させる液体が水受槽の中から無くならないようにすることができるため、発振器の詰まりを防ぐことができる。
（２）霧化器の使用時間を延ばすとともに、液体の残量が分かるように透光性に設計されているため、液体を適時補充することができ、発振器および導水装置の使用寿命を延ばすことができる。
（３）ベース上に配置される透光型補水台が有する収納槽に設けられた発光源を発光させることにより、見た目を向上させることができる。
【図面の簡単な説明】
【０００９】
【図１】本考案の一実施形態による霧化器の補水構造を示す分解斜視図である。
【図２】本考案の一実施形態による霧化器の補水構造を示す断面図である。
【図３】本考案の一実施形態による霧化器の補水構造を使用するときの状態を示す断面図である。
【図４】本考案の他の実施形態による霧化器の補水構造を使用するときの状態を示す断面図である。
【考案を実施するための形態】
【００１０】
まず、図１および図２を参照する。図１は、本考案の一実施形態による霧化器の補水構造を示す分解斜視図である。図２は、本考案の一実施形態による霧化器の補水構造を示す断面図である。図１および図２に示すように、ベース１の中には、着脱自在の導水装置１２に対応するように発振器１１が配置されている。水受槽１３の液体は、導水装置１２に供給され、発振器１１により霧化させる。
【００１１】
水受槽１３には、槽孔１３１が設けられている。透光型補水台２は、ベース１に対応するように導管２１を有する槽孔１３１の中に嵌入して取り付け、霧化させる液体を供給する。
【００１２】
図１〜図３を参照する。図３は、本考案の一実施形態による霧化器の補水構造を使用するときの状態を示す断面図である。本実施形態のベース１の内部には、発振器１１が設けられている。発振器１１は、微小な孔を有する弾片であり、毛細導水繊維１２１を有する導水装置１２に対応するように設けられている。導水装置１２は着脱自在に設けられるとともに、導水装置１２の毛細導水繊維１２１が吸収する液体は、水受槽１３から供給される。水受槽１３は、中にバンプ１３２が突設された槽孔１３１を有する。さらに、透光型補水台２の導管２１には、内側端面に導流孔２１１が周設され、中央部分に１組の組立槽孔２１２が設けられ、突当ブロック２２１を有する可動ロッド２２が貫設されている。可動ロッド２２の突当ブロック２２１と組立槽孔２１２との間には、弾性部材２３が外嵌され、可動ロッド２２の端部には、防水ワッシャ２４が設けられている。
【００１３】
透光型補水台２は、給水口２５から液体を供給することができる。給水口２５が閉塞部材２６により封止されると、可動ロッド２２が弾性部材２３による圧力および液体からの圧力を受け、導流孔２１１に防水ワッシャ２４が密着された状態となる。透光型補水台２がベース１に対応するように、水受槽１３の槽孔１３１の中に導管２１が嵌入されると、バンプ１３２により可動ロッド２２が押圧され、導流孔２１１から可動ロッド２２の防水ワッシャ２４が離れ、水受槽１３に液体が供給される状態となる。そのため、毛細導水繊維１２１の導水装置１２が液体を吸収し続け、発振器１１により液体を霧化させることができる。透光型補水台２が透光型であるため、液体が減ったことが分かると、閉塞部材２６を外して給水口２５から液体を補充することができる。
【００１４】
上述したように、液体の残量が分かるように補水台が透光型に設計されているため、適時液体を補充することができる。これにより、霧化器の使用時間を延ばすとともに、発振器１１および導水装置１２の使用寿命を延ばすことができる。さらに、図４に示すように、本考案の他の実施形態では、ベース１上に嵌入させる透光型補水台２の収納槽２７に、見た目を向上させるための発光源１４が設けられている。
【００１５】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１６】
１  ベース
２  透光型補水台
１１  発振器
１２  導水装置
１３  水受槽
１４  発光源
２１  導管
２２  可動ロッド
２３  弾性部材
２４  防水ワッシャ
２５  給水口
２６  閉塞部材
２７  収納槽
１２１  毛細導水繊維
１３１  槽孔
１３２  バンプ
２１１  導流孔
２１２  組立槽孔
２２１  突当ブロック
【図１】
0003155702.tif 000003
【図２】
0003155702.tif 000004
【図３】
0003155702.tif 000005
【図４】
0003155702.tif 000006